(57)【要約】      （修正有）【課題】  切断手段を具備した画像記録装置において、シート状のスタック部材に複数枚のシート状の被記録媒体を品質良く収納する。【解決手段】  ロール状の被記録媒体を搬送する搬送手段と、前記搬送手段により搬送される前記記録媒体に対して画像を記録するための記録ヘッドと、画像記録後の前記被記録媒体を外部に案内するための排紙部材と、前記搬送手段により搬送される前記記録媒体を切断する切断手段と、前記切断手段により切断されたシート状の前記被記録媒体を収納するシート状のスタック部材と、を有する画像記録装置において、前記排紙部材は、前記切断手段による画像記録後の前記被記録媒体の切断時に、前記排紙部材よりも搬送方向下流側で、かつ前記スタック部よりも搬送方向上流側に、前記被記録媒体を搬送経路に交差する方向に突き出させる反転アシスト手段を有する。【選択図】  図１
2006168898.tif 000002
【特許請求の範囲】
【請求項１】
ロール状の被記録媒体を搬送する搬送手段と、前記搬送手段により搬送される前記被記録媒体に対して画像を記録するための記録ヘッドと、画像記録後の前記被記録媒体を外部に案内するための排紙部材と、前記搬送手段により搬送される前記被記録媒体を切断する切断手段と、前記切断手段により切断されたシート状の前記被記録媒体を収納するシート状のスタック部材と、を有する画像記録装置において、
前記排紙部材は、前記切断手段による画像記録後の前記被記録媒体の切断時に、前記排紙部材よりも搬送方向下流側で、かつ前記スタック部材よりも搬送方向上流側に、前記被記録媒体を搬送経路に交差する方向に突き出させる反転アシスト手段を有することを特徴とする画像記録装置。
【請求項２】
前記反転アシスト手段は、前記記録ヘッドによる画像記録中には、搬送経路外に位置することを特徴とする請求項１に記載の画像記録装置。
【請求項３】
ロール状の被記録媒体を搬送する搬送手段と、前記搬送手段により搬送される前記被記録媒体に対して画像を記録するための記録ヘッドと、画像記録後の前記被記録媒体を外部に案内するための排紙部材と、前記搬送手段により搬送される前記被記録媒体を切断する切断手段と、前記切断手段により切断されたシート状の前記被記録媒体を収納するシート状のスタック部材と、を有する画像記録装置において、
前記切断手段による画像記録後の前記被記録媒体の切断時に、前記スタック部材を搬送方向に交差する方向に移動させるスタック部材移動手段を有することを特徴とする画像記録装置。
【請求項４】
前記スタック部材の上面は、前記記録ヘッドによる画像記録中には、前記排紙部材の搬送方向下流側よりも前側に位置することを特徴とする請求項３に記載の画像記録装置。
【請求項５】
前記スタック部材は、前記切断手段による画像記録後の前記被記録媒体の切断時に、前記被記録媒体の搬送方向上流側を押えるストッパー部材を有することを特徴とする請求項１または３に記載の画像記録装置。
【発明の詳細な説明】
【技術分野】
【０００１】
本発明は、ロール状の被記録媒体をシート状に切断する切断手段を具備したプリンター、複写機、ファクシミリ等の画像記録装置に関する。
【背景技術】
【０００２】
従来、この種の画像記録装置としては、ロール状の被記録媒体を収容し、記録ヘッドの走査（往復動作）により画像データを記録して、画像データを記録した被記録媒体をページ毎に切断するものがある。画像データが入力されると、被記録媒体をプラテンまで送り、その上部を記録ヘッドが往復動作を行う。記録ヘッドの走査（往復動作）により１走査分の画像を記録し、搬送ローラにより被記録媒体を間欠的に所定のピッチで送り、その後にまた記録ヘッドを走査させ１走査分の画像を記録し、これを繰り返してページ全体に画像を記録する。被記録媒体の記録済み部は、装置の外部に設けている排紙部材に案内され、切断手段によりページ毎に切り離される。ページ毎に切断された被記録媒体は、排紙部材の下方に設けられているスタック部材に収納される。
【０００３】
上記一連の動作において、ページ毎に切断された被記録媒体を収納するスタック部材について、次に挙げる構成が開示されている。
【０００４】
従来、印刷用紙を上方から給送する給紙部と、給送された印刷用紙を搬送しながら印刷を行う印刷部と、印刷後、斜め下方に向かって排紙する排紙部とを備える大型プリンタにおいて、排紙された印刷用紙を受け取る排紙受け装置は、印刷用紙の長さに応じて、後方側に向けて受け取る状態と前方側に向けて受け取る状態とを切り換えることができるように構成されている。（例えば、特許文献１参照。）。また、カッター装置によってカットされて下方に落下する被記録材を受ける排紙スタッカは、排出ローラに近い側に設けられる第１の用紙収納部と、排出ローラから遠い側に設けられる第２の用紙収納部を有し、所定の長さより短尺にカットされる被記録材は第１の用紙収納部に落下し、所定の長さより長尺にカットされる被記録材は第２の用紙収納部に落下するように構成されている。（例えば、特許文献２参照。）。
【特許文献１】特開２００１−１３０８１４号公報
【特許文献２】特開２００３−２５２５１４号公報
【発明の開示】
【発明が解決しようとする課題】
【０００５】
しかしながら、従来技術（例えば、特許文献１参照）においては、印刷用紙の長さに応じて、後方側に向けて受け取る状態と前方側に向けて受け取る状態とを切り換えることができるように構成されているが、複数枚のシート状の被記録媒体を品質良く収納することを考慮しておらず、シート状に切断された被記録媒体が被記録媒体のもつカール癖等によりスタック部材内でロール状に丸まって収納される場合や、多くのメディア種に対応させる場合に、複数枚のシート状の被記録媒体を収納することができないという課題がある。また、従来技術（例えば、特許文献２参照）においては、排紙スタッカに排出ローラに近い側に設けられる第１の用紙収納部と、排出ローラから遠い側に設けられる第２の用紙収納部とを設けて、被記録材が所定の長さより短尺であるか長尺であるかにより、異なる用紙収納部に被記録材を落下するように構成されており、カット長の長いものと短いものが同一の用紙収納部に混在し、印刷品質が低下することを防止することはできるが、カット長の長いものに対する複数枚のシート状の被記録媒体を品質良く収納することを考慮しておらず、シート状に切断された被記録媒体が被記録媒体のもつカール癖等によりスタック部材内でロール状に丸まって収納される場合や、多くのメディア種に対応させる場合に、複数枚のシート状の被記録媒体を収納することができないという課題がある。
【０００６】
そこで、本発明の目的は、切断手段により切断されたシート状の被記録媒体を、被記録媒体のもつカール癖等によりスタック部材内でロール状に丸まって収納される場合や、多くのメディア種に対応させる場合でも、シート状のスタック部材に複数枚のシート状の被記録媒体を品質良く収納することができる画像記録装置を提供することにある。
【課題を解決するための手段】
【０００７】
上記課題を解決するため、以下の手段を有する。
【０００８】
ロール状の被記録媒体を搬送する搬送手段と、前記搬送手段により搬送される前記被記録媒体に対して画像を記録するための記録ヘッドと、画像記録後の前記被記録媒体を外部に案内するための排紙部材と、前記搬送手段により搬送される前記被記録媒体を切断する切断手段と、前記切断手段により切断されたシート状の前記被記録媒体を収納するシート状のスタック部材と、を有する画像記録装置において、前記排紙部材は、前記切断手段による画像記録後の前記被記録媒体の切断時に、前記排紙部材よりも搬送方向下流側で、かつ前記スタック部材よりも搬送方向上流側に、前記被記録媒体を搬送経路に交差する方向に突き出させる反転アシスト手段を有する。
【０００９】
これにより、切断手段による被記録媒体の切断後に、被記録媒体は反転アシスト手段によりスタック部材の上面において、被記録媒体のもつカール癖やメディア種に関係なく、前側に反転して折り返され、スタック部材に収納されるために、複数枚のシート状の被記録媒体を品質良く収納することができる。
【００１０】
更に、前記反転アシスト手段は、前記記録ヘッドによる画像記録中には、搬送経路外に位置する。
【００１１】
この場合、反転アシスト手段が被記録媒体の搬送に影響を与えることがなく、切断手段による切断前の被記録媒体を確実にスタック部材に搬送することができる。
【００１２】
又、ロール状の被記録媒体を搬送する搬送手段と、前記搬送手段により搬送される前記被記録媒体に対して画像を記録するための記録ヘッドと、画像記録後の前記被記録媒体を外部に案内するための排紙部材と、前記搬送手段により搬送される前記被記録媒体を切断する切断手段と、前記切断手段により切断されたシート状の前記被記録媒体を収納するシート状のスタック部材と、を有する画像記録装置において、前記切断手段による画像記録後の前記被記録媒体の切断時に、前記スタック部材を搬送方向に交差する方向に移動させるスタック部材移動手段を有する。
【００１３】
これにより、切断手段による被記録媒体の切断後に、被記録媒体はスタック部材の上面において、被記録媒体のもつカール癖やメディア種に関係なく、前側に反転して折り返され、スタック部材に収納されるために、複数枚のシート状の被記録媒体を品質良く収納することができる。
【００１４】
更に、前記スタック部材の上面は、前記記録ヘッドによる画像記録中には、前記排紙部材の搬送方向下流側よりも前側に位置する。
【００１５】
この場合、スタック部材が被記録媒体の搬送に影響を与えることがなく、切断手段による切断前の被記録媒体を確実にスタック部材に搬送することができる。
【００１６】
又、前記スタック部材は、前記切断手段による画像記録後の前記被記録媒体の切断時に、前記被記録媒体の搬送方向上流側を押えるストッパー部材を有する。
【００１７】
この場合、ストッパー部材は被記録媒体のもつカール癖等により被記録媒体の搬送方向上流側がロール状に丸まることを防止するため、反転アシスト手段の突き出し量及びスタック部材移動手段によるスタック部材の移動量が少ない状態でも、確実に複数枚のシート状の被記録媒体を品質良く収納することができる。
【発明の効果】
【００１８】
本発明の画像記録装置によれば、反転アシスト部材が被記録媒体をスタック部材の上面より突き出した状態にして切断するため、シート状に切断された被記録媒体は、折り返し点を中心に反転し、折り返された状態でスタック部材に収納され、スタック部材内でロール状に丸まって収納されることがなく、複数枚のシート状に切断された被記録媒体を品質良く収納することができる。
【００１９】
又、画像記録中には、反転アシスト部材を搬送経路外の位置に移動させるため、反転アシスト部材が被記録媒体の搬送に影響を与えることはなく、切断前の被記録媒体を確実にスタック部材に搬送することができる。
【００２０】
又、スタック部材の上面が被記録媒体の記録済み部を押した状態にして切断するため、シート状に切断された被記録媒体は、折り返し点を中心に反転し、折り返された状態でスタック部材に収納され、スタック部材内でロール状に丸まって収納されることがなく、複数枚のシート状に切断された被記録媒体を品質良く収納することができる。
【００２１】
又、画像記録中には、スタック部材の上面を搬送経路外の位置に移動させるため、スタック部材の上面が被記録媒体の搬送に影響を与えることはなく、切断前の被記録媒体を確実にスタック部材に搬送することができる。
【００２２】
ストッパー部材は、被記録媒体のもつカール癖等により被記録媒体の搬送方向上流側がロール状に丸まることを防止するため、反転アシスト手段の突き出し量及びスタック部材の上面の移動量が少ない状態でも、被記録媒体を反転し、折り返した状態でスタック部材に収納することができる。
【発明を実施するための最良の形態】
【００２３】
次に、本発明の実施の形態について図面を参照して説明する。
【００２４】
（第１の実施例）
図１は、本発明をインクジェットプリンタに適用した場合の主要部斜視図である。
【００２５】
図２は、画像記録中の反転アシスト部材とスタック部材と被記録媒体の関係を示す断面図である。
【００２６】
図３は、切断時の反転アシスト部材とスタック部材と被記録媒体の関係を示す断面図である。
【００２７】
図４は、スタック部材への被記録媒体の収納状態を示す断面図である。
【００２８】
図１に示すプリンタは、シリアルタイプのインクジェットプリンタであり、被記録媒体が給紙され、スタック部材に排紙されるまでの一連の動作について説明する。まず、被記録媒体１０１が搬送ローラ３により給紙され、記録手段としての記録ヘッド１と被記録媒体１０１とのギャップを保証し、かつプリンタ本体のシャーシを兼用するプラテン４の上部を、記録ヘッド１がレール２の軸線に沿って往復動作を行う。記録ヘッド１の１回のスキャンの往動又は復動により画像を記録すると、矢印Ａの方向に搬送ローラ３が被記録媒体１０１を間欠的に所定のピッチで送り、その後にまた記録ヘッド１を移動させて画像の記録を行う。これを繰り返してページ全体に画像を記録する。被記録媒体の記録済み部１０１ａは、排紙ガイド７に案内されてプリンタの外部に排紙される。
【００２９】
画像記録が終了すると、搬送ローラ３により所定の切断位置まで被記録媒体１０１を搬送する。切断動作の信号により、モータ３０が駆動され、丸刃ユニット１０が左側から矢印Ｂの方向に移動され、切断後の位置１０ａまで右側に移動する。この際、カットライン１０３に沿って切断が行われ、搬送方向（矢印Ａの方向）の下流側にある記録済み部１０１ａを切り離す。なお、カットライン１０３は固定刃６の刃先に一致する。シート状に切断された被記録媒体１０２は、切断装置よりも下方に配置されているスタック部材８に排紙される。なお、プラテン４の通紙面と、固定刃６の上面の関係は、固定刃６の上面の方がやや低く、固定刃６の上面と、排紙ガイド７の上面の関係は、排紙ガイド７の上面の方がやや低い。したがって、これらは被記録媒体１０１が搬送される方向に対して、漸次低位に配置されている。
【００３０】
次に、図１、図２、図３及び図４を参照して、排紙ガイド７について説明する。排紙ガイド７は、被記録媒体１０１の搬送方向（矢印Ａの方向）で、カットライン１０３よりも下流側に配置され、被記録媒体１０１をプリンタの記録部から外部へ搬送する際の案内となっている。また、ロール状の被記録媒体を収納する不図示のロール紙ホルダーを覆うカバーにもなっている。反転アシスト部材４０は、排紙ガイド７の搬送方向（矢印Ａの方向）下流側で、かつ、搬送経路外の位置に配置されており、被記録媒体の記録済み部１０１ａを切断する際には、不図示のモータとラックにより矢印Ｄの方向にスライドし、切断する際における反転アシスト部材の位置４０ａまで移動し、シート状に切断された被記録媒体１０２をスタック部材の上面８ａで反転して折り返してスタック部材８に収納するためのものである。反転アシスト部材４０の突き出し量Ｘ１は、排紙ガイド７とスタック部材の上面８ａとの距離Ｙ１より大きい。すなわち、反転アシスト部材４０の突き出し量Ｘ１は、Ｘ１≧Ｙ１となる量だけスライドさせる。その際、スタック部材の上面８ａと被記録媒体の記録済み部１０１ａとのオーバラップ量Ｙ２は、０〜１００ｍｍであり、好ましくは１０〜５０ｍｍである。
【００３１】
次に、図１、図２、図３及び図４を参照して、シート状に切断された画像記録済みの被記録媒体１０２のスタック部材８への収納時の作用について説明する。被記録媒体１０１は、ページ全体に画像を記録されると、搬送ローラ３で所定の切断位置まで搬送される。この際、被記録媒体の記録済み部１０１ａは、図２の状態になる。次に、反転アシスト部材４０を矢印Ｄの方向にスライドさせ、切断する際における反転アシスト部材の位置４０ａまで移動させる。この際、被記録媒体の記録済み部１０１ａは、図３のように突き出された状態になり、スタック部材の上面８ａと被記録媒体の記録済み部１０１ａとのオーバラップ量Ｙ２は、Ｙ２≧０となる。次に、丸刃ユニット１０を左側から矢印Ｂの方向に移動させることにより、固定刃６と丸刃ユニット１０によりカットライン１０３の位置で切断される。シート状に切断された被記録媒体１０２は、折り返し点４１を中心に矢印Ｆの方向に反転し、図４のように折り返された状態になり、スタック部材８に収納される。被記録媒体の記録済み部１０１ａの切断が終了すると、丸刃ユニット１０をセンサ３４により位置を検出されるホームポジションまで矢印Ｃの方向に移動させる。次に、反転アシスト部材４０を矢印Ｅの方向にスライドさせ、搬送経路外の位置に移動させる。
【００３２】
なお、本実施形態では、反転アシスト部材４０をスライドさせて移動させ、被記録媒体の記録済み部１０１ａを突き出しているが、反転アシスト部材４０を回転させることにより、被記録媒体の記録済み部１０１ａを突き出しても良い。また、切断時に被記録媒体の記録済み部の先端側１０１ｂを規制していないため、カール癖によりシート状に切断された被記録媒体１０２がスタック部材８内でロール状に丸まって収納されるのを防止するために、反転アシスト部材４０の突き出し量Ｘ１は、Ｘ１≧Ｙ１となる量だけスライドさせて、スタック部材の上面８ａと被記録媒体の記録済み部１０１ａとをオーバラップさせているが、切断時に被記録媒体の記録済み部の先端側１０１ｂを規制するストッパー部材４２を設けている場合には、スタック部材の上面８ａと被記録媒体の記録済み部１０１ａとをオーバラップさせなくても良く、反転アシスト部材４０の突き出し量Ｘ１は（Ｙ１−３０ｍｍ）＜Ｘ１＜Ｙ１となる量だけスライドさせれば良い。
【００３３】
以上説明したように、本実施形態の場合、反転アシスト部材４０が被記録媒体の記録済み部１０１ａをスタック部材の上面８ａより突き出した状態にして切断するため、シート状に切断された被記録媒体１０２は、折り返し点４１を中心に矢印Ｆの方向に反転し、折り返された状態でスタック部材８に収納され、スタック部材８内でロール状に丸まって収納されることがなく、複数枚のシート状に切断された被記録媒体１０２を品質良く収納することができる。また、画像記録中には、反転アシスト部材４０を搬送経路外の位置に移動させるため、反転アシスト部材４０が被記録媒体１０１の搬送に影響を与えることはなく、切断前の被記録媒体１０１を確実にスタック部材８に搬送することができる。
【００３４】
（第２の実施例）
図５は、画像記録中の排紙部材とスタック部材と被記録媒体の関係を示す断面図である。
【００３５】
図６は、切断時の排紙部材とスタック部材と被記録媒体の関係を示す断面図である。
【００３６】
図７は、スタック部材への被記録媒体の収納状態を示す断面図である。
【００３７】
図１、図５、図６及び図７を参照して、本実施形態におけるスタック部材９について説明する。スタック部材９は、シート状に切断された被記録媒体１０２を収納するためのもので、切断装置よりも下方に配置されている。スタック部材の上面９ａは、被記録媒体の記録済み部１０１ａを切断する際には、不図示のカムとモータで構成されているスタック部材移動手段により、支点４３を中心に矢印Ｇの方向に回転し、切断する際におけるスタック部材の上面９ａの位置９ｂまで移動し、シート状に切断された被記録媒体１０２をスタック部材の上面９ａで反転して折り返してスタック部材９に収納するように構成されている。スタック部材の上面９ａの移動量Ｘ２は、排紙ガイド７とスタック部材の上面９ａとの距離Ｙ３より大きい。すなわち、スタック部材の上面９ａの移動量Ｘ２は、Ｘ２≧Ｙ３となる量だけ回転させる。その際、スタック部材の上面９ｂと被記録媒体の記録済み部１０１ａとのオーバラップ量Ｙ４は、０〜１００ｍｍであり、好ましくは１０〜５０ｍｍである。
【００３８】
次に、図１、図５、図６及び図７を参照して、シート状に切断された画像記録済みの被記録媒体１０２のスタック部材９への収納時の作用について説明する。被記録媒体１０１は、ページ全体に画像を記録されると、搬送ローラ３で所定の切断位置まで搬送される。この際、被記録媒体の記録済み部１０１ａは、図５の状態になる。次に、スタック部材の上面９ａを矢印Ｇの方向に回転させ、切断する際におけるスタック部材の上面９ａの位置９ｂまで移動させる。この際、被記録媒体の記録済み部１０１ａは、図６のようにスタック部材に押された状態になり、スタック部材の上面９ｂと被記録媒体の記録済み部１０１ａとのオーバラップ量Ｙ４は、Ｙ４≧０となる。次に、丸刃ユニット１０を左側から矢印Ｂの方向に移動させることにより、固定刃６と丸刃ユニット１０によりカットライン１０３の位置で切断される。シート状に切断された被記録媒体１０２は、折り返し点４４を中心に矢印Ｉの方向に反転し、図７のように折り返された状態になり、スタック部材９に収納される。被記録媒体の記録済み部１０１ａの切断が終了すると、丸刃ユニット１０をセンサ３４により位置を検出されるホームポジションまで矢印Ｃの方向に移動させる。次に、スタック部材の上面９ａを矢印Ｈの方向に回転させ、搬送経路外の位置に移動させる。
【００３９】
なお、本実施形態では、スタック部材の上面９ａを回転させて移動させ、被記録媒体の記録済み部１０１ａをスタック部材９で押した状態にしているが、スタック部材の上面９ａをスライドさせることにより、被記録媒体の記録済み部１０１ａをスタック部材９で押した状態にしても良い。また、切断時に被記録媒体の記録済み部の先端側１０１ｂを規制していないため、カール癖によりシート状に切断された被記録媒体１０２がスタック部材９内でロール状に丸まって収納されるのを防止するために、スタック部材の上面９ａの移動量Ｘ２は、Ｘ２≧Ｙ３となる量だけ回転させて、スタック部材の上面９ｂと被記録媒体の記録済み部１０１ａとをオーバラップさせているが、切断時に被記録媒体の記録済み部の先端側１０１ｂを規制するストッパー部材４５を設けている場合には、スタック部材の上面９ａと被記録媒体の記録済み部１０１ａとをオーバラップさせなくても良く、スタック部材の上面９ａの移動量Ｘ２は（Ｙ３−３０ｍｍ）＜Ｘ２＜Ｙ３となる量だけ回転させれば良い。
【００４０】
以上説明したように、本実施形態の場合、スタック部材の上面９ａが被記録媒体の記録済み部１０１ａを押した状態にして切断するため、シート状に切断された被記録媒体１０２は、折り返し点４４を中心に矢印Ｉの方向に反転し、折り返された状態でスタック部材９に収納され、スタック部材９内でロール状に丸まって収納されることがなく、複数枚のシート状に切断された被記録媒体１０２を品質良く収納することができる。また、画像記録中には、スタック部材の上面９ａを搬送経路外の位置に移動させるため、スタック部材の上面９ａが被記録媒体１０１の搬送に影響を与えることはない。
【図面の簡単な説明】
【００４１】
【図１】本発明をインクジェットプリンタに適用した場合の主要部斜視図である。
【図２】画像記録中の反転アシスト部材とスタック部材と被記録媒体の関係を示す断面図である。
【図３】切断時の反転アシスト部材とスタック部材と被記録媒体の関係を示す  断面図である。
【図４】スタック部材への被記録媒体の収納状態を示す断面図である。
【図５】画像記録中の排紙部材とスタック部材と被記録媒体の関係を示す断面図である。
【図６】切断時の排紙部材とスタック部材と被記録媒体の関係を示す断面図である。
【図７】切断時の排紙部材とスタック部材と被記録媒体の関係を示す断面図である。
【符号の説明】
【００４２】
１  記録ヘッド
２  レール
３  搬送ローラ
４  プラテン
５  フレーム
６  固定刃
７  排紙ガイド
８  スタック部材
８ａ  スタック部材の上面
９  スタック部材、９ａ：スタック部材の上面
９ｂ  切断する際におけるスタック部材の上面の位置
１０  丸刃ユニット、１０ａ：切断した後の位置
２０  丸刃ホルダー
３０  モータ
３１  駆動プーリ
３２  従動プーリ
３３  ワイヤ
３４，３５  センサ。
【００４３】
４０  反転アシスト部材
４０ａ  切断する際における反転アシスト部材の位置
４１、４４  折り返し点
４２、４５  ストッパー部材。
【００４４】
４３  支点
１０１  被記録媒体
１０１ａ  記録済み部
１０１ｂ  記録済み部の先端側
１０２  シート状に切断された被記録媒体
１０３  カットライン
Ａ  搬送方向
Ｂ  切断方向
Ｃ  戻り方向
Ｄ  突き出し方向
Ｅ  戻り方向
Ｆ  反転方向
Ｇ  回転方向
Ｈ  戻り方向
Ｉ  反転方向
Ｘ１  突き出し量
Ｘ２  移動量
Ｙ１、Ｙ３  排紙ガイドとスタック部材の上面との距離
Ｙ２、Ｙ４  スタック部材の上面と被記録媒体の記録済み部とのオーバラップ量
【図１】
2006168898.tif 000003
【図２】
2006168898.tif 000004
【図３】
2006168898.tif 000005
【図４】
2006168898.tif 000006
【図５】
2006168898.tif 000007
【図６】
2006168898.tif 000008
【図７】
2006168898.tif 000009